【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
長方形の基板と、該基板の片側端部に該基板と同一平面上に連設した円周に沿って度数目盛を表示した分度盤と、該分度盤の下部中心位置に設けた回動ピンを支点として指針アームと連設した回動自在な支持脚Ａと、該分度盤と反対方向に該基板の他端部に直角に連設した支持脚Ｂと、両支持脚Ａ、Ｂの端部に該支持脚と一体に及び／又は着脱自在に設けられた角度測定冶具とからなるゲージであって、
該指針アームの先端は分度盤の度数目盛を指す指針となり、しかも両支持脚Ａ、Ｂとは基板とパチンコ盤面とが平行となるように互いに協同して水平を構成でき、両支持脚Ａ、Ｂの長さがパチンコ盤面に植設されたパチンコ釘の高さより長いことを特徴とするパチンコ釘角度測定ゲージ。
【請求項２】
支持脚Ｂを一体に又は別体に取り付けた組立式スライド体を基板に設けたことを特徴とする請求項１記載のパチンコ釘角度測定ゲージ。
【請求項３】
組立式スライド体を基板に嵌挿して設けたことを特徴とする請求項２記載のパチンコ釘角度測定ゲージ。
【請求項４】
支持脚Ｂが上下にスライド可能に又は回動自在に構成されることを特徴とする請求項２又は３記載のパチンコ釘角度測定ゲージ。
【請求項５】
支持脚が、更に基板及び／又は支持脚の途中にも設けられることを特徴とする請求項１〜４のいずれかに記載のパチンコ釘角度測定ゲージ。
【請求項６】
分度盤が半円状、三角状、円状のいずれかであることを特徴とする請求項１〜５のいずれかに記載のパチンコ釘角度測定ゲージ。
【請求項７】
組立式スライド体なしに、支持脚Ｂ自体が基板内の直線状溝を介して上下にスライド可能に構成させることを特徴とする請求項１〜６のいずれかに記載のパチンコ釘角度測定ゲージ。
【請求項８】
支持脚Ａ，Ｂ間を一定長のロッドで連結して該支持脚Ａ、Ｂの動きを連動させることを特徴とする請求項１〜７のいずれかに記載のパチンコ釘角度測定ゲージ。
【請求項９】
指針アームと連設する支持脚が該支持脚中のスリットを介して左右にスライドでき、且つ２つの組立式スライド体と組合わされた支持脚と前記支持脚とが協同してスライドすることにより、常に基板とパチンコ盤面との平行が保てることを特徴とする請求項１〜８のいずれかに記載のパチンコ釘角度測定ゲージ。
【請求項１０】
分度盤と基板とが支点ピンによって回動するようにし、且つ分度盤とスライド体とを複数の結合した連結ロッドにより連結させ、且つ基板の他端の支持脚に補正目盛と補正値とが設けらた構成のゲージであって、
スライド体の上昇と連動した分度盤の左回りにより指針の誤差を分度盤の回動によって補正でき、基板とパチンコ盤面との平行が保てることを特徴とする請求項１〜９のいずれかに記載のパチンコ釘角度測定ゲージ。
【手続補正２】
【補正対象書類名】明細書
【補正対象項目名】０００７
【補正方法】変更
【補正の内容】
【０００７】
本発明者らは、上記課題について種々検討した結果、従来技術による分度盤付きゲージ、分度盤付きスライド体付きゲージが、また、支持脚の上方側面に角度測定冶具を着脱自在に又は一体に設けた馬蹄形又は樹木形ゲージが、その使用方法の面で不十分である点に鑑みて、構造上の観点から種々の工夫を凝らすことにより、本発明を完成するに至った。
即ち、本発明は；
（１）  長方形の基板と、該基板の片側端部に該基板と同一平面上に連設した円周に沿って度数目盛を表示した分度盤と、該分度盤の下部中心位置に設けた回動ピンを支点として指針アームと連設した回動自在な支持脚Ａと、該分度盤と反対方向に該基板の他端部に直角に連設した支持脚Ｂと、両支持脚Ａ、Ｂの端部に該支持脚と一体に及び／又は着脱自在に設けられた角度測定冶具とからなるゲージであって、
該指針アームの先端は分度盤の度数目盛を指す指針となり、しかも両支持脚Ａ、Ｂとは基板とパチンコ盤面とが平行となるように互いに協同して水平を構成でき、両支持脚Ａ、Ｂの長さがパチンコ盤面に植設されたパチンコ釘の高さより長いパチンコ釘角度測定ゲージを提供する（図１参照）。また、
【手続補正３】
【補正対象書類名】明細書
【補正対象項目名】０００８
【補正方法】変更
【補正の内容】
【０００８】
（２）組立式スライド体に支持脚Ｂを一体に又は別体（図３〜５等参照）に取り付けた点にも特徴を有する。また、
（３）組立式スライド体を基板に嵌挿して設けた点にも特徴を有する（図３、４参照）。また、
（４）  支持脚Ｂを別体に取り付けた組立式スライド体において、支持脚Ｂが上下にスライド可能に又は回動自在に構成される点にも特徴を有する（図１６〜２１参照）。また、
（５）  支持脚が、更に基板及び／又は支持脚の途中にも設けられることを特徴とする点にも特徴を有する（図１４参照）。また、
（６）  分度盤が半円状、三角状（図４２参照）、円状（図１４、１５参照）のいずれかである点にも特徴を有する。また、
（７）  組立式スライド体なしに、支持脚Ｂ自体が基板内の直線状溝を介して上下にスライド可能に構成させる点にも特徴を有する（図２２、２３参照）。また、
（８）  支持脚Ａ，Ｂ間を一定長のロッドで連結して該支持脚Ａ、Ｂの動きを連動させる点にも特徴を有する（図２８参照）。また、
（９）  指針アームと連設する支持脚が該支持脚中のスリットを介して左右にスライドでき、且つ２つの組立式スライド体と組合わされた支持脚と前記支持脚とが協同してスライドすることにより、常に基板とパチンコ盤面との平行が保てる点にも特徴を有する（図４２参照）。また、
（１０）  分度盤と基板とが支点ピンによって回動するようにし、且つ分度盤とスライド体とを複数の結合した連結ロッドにより連結させ、且つ基板の他端の支持脚に補正目盛と補正値とが設けらた構成のゲージであって、
スライド体の上昇と連動した分度盤の左回りにより指針の誤差を分度盤の回動によって補正でき、基板とパチンコ盤面との平行が保てる点にも特徴を有する（図４３参照）。
【手続補正４】
【補正対象書類名】明細書
【補正対象項目名】０００９
【補正方法】変更
【補正の内容】
【０００９】
本発明は、下記の実施の態様をも包含する。
（１）該角度測定冶具が（イ）楔型、３角柱型、５角柱型、６角柱型、８角柱型等の角柱型、（ロ）円錐型、逆円錐型、円筒型等の丸型、（ハ）へこみ付き４角柱型、へこみ付き６角柱型、へこみ付き８角柱型、へこみ付き１０角柱型、へこみ付き１２角柱型、へこみ付き１４角柱型、へこみ付き１６角柱型、井形状型、隅取り付き２枚組型等の変則角柱型、（ニ）突起型、ピン型、プレート型、嵌挿型、板型（矩形状を含む）、羽根板型、シーソー型、段差型、へこみ型等のその他の型のいずれかである点にも特徴を有する（図３５〜４１参照）。また、
（２）着脱自在な角度測定冶具が磁性ゴム等の磁性材料から構成され、ゲージが鉄材等の磁性材料を吸着可能な吸磁性材料から構成される点にも特徴を有する。また、
【手続補正５】
【補正対象書類名】明細書
【補正対象項目名】００１０
【補正方法】変更
【補正の内容】
【００１０】
（３）角度測定を精密に行うために、支持脚の下方に釘傘を係止するフック（図８参照）、段差（図３７（ハ）参照）、突起（図３３（チ）参照）、へこみ（凹部）（図３８（ニ）参照）、釘軸合線（図３７（ロ）参照）、支持脚に丸み当接面（図３８（ロ）参照）のいずれかを設ける点にも特徴を有する。また、
（４）指針アームが回動ピンを介してその回動が規制される点にも特徴を有する（図９参照）。